(57)【要約】【課題】本発明の課題は、光コネクタプラグを装着した光ファイバコードを配管より引き抜くときの光コネクタプラグの破損や光ファイバの破断を防止でき、信頼性を向上させた光コネクタプラグを提供することにある。【解決手段】本発明は、つまみ３１がプラグフレームとブーツ３５の一部を覆うように装着される光ファイバを接続する光コネクタプラグ３８であって、つまみ３１の形状を略中空直方体部３２と前記略中空直方体部３２の一方の端部における２つの長辺より延伸した片持ち梁の板３３からなる構造とし、前記片持ち梁の板３３をブーツ３５側としたことを特徴とするものである。【選択図】図２
2008139704.tif 000002
【特許請求の範囲】
【請求項１】
つまみがプラグフレームとブーツの一部を覆うように装着される光ファイバを接続する光コネクタプラグであって、
つまみの形状を略中空直方体部と前記略中空直方体部の一方の端部における２つの長辺より延伸した片持ち梁の板からなる構造とし、前記片持ち梁の板をブーツ側としたことを特徴とする光コネクタプラグ。
【請求項２】
つまみがプラグフレームとブーツの一部を覆うように装着される光ファイバを接続する光コネクタプラグであって、
つまみの形状を略中空直方体部と前記略中空直方体部の一方の端部における各辺より延伸した片持ち梁の板からなる構造とし、前記片持ち梁の板をブーツ側としたことを特徴とする光コネクタプラグ。
【請求項３】
つまみがプラグフレームとブーツの一部を覆うように装着される光ファイバを接続する光コネクタプラグであって、
つまみのブーツ側端部の外形状を円形状とし、つまみのブーツ側端部の外径とブーツのつまみ側端部における外径を略同等としたことを特徴とする光コネクタプラグ。
【発明の詳細な説明】
【技術分野】
【０００１】
本発明は、つまみがプラグフレームとブーツの一部を覆うように装着される光ファイバを接続する光コネクタプラグに関するものである。
【背景技術】
【０００２】
螺旋形状を有する光ファイバコードを配管内に通線する光ファイバの配線方法が提案されている（例えば、特許文献１参照。）。螺旋形状により光ファイバコードが伸縮可能になり、配管の長さが異なる場合も光ファイバコードが伸長することで同じ仕様の光ファイバコードを使用できる。また、配管内へ配線した後の光ファイバの余長は光ファイバコードが収縮することで配管内に収めることができるため、余長処理が容易である。あらかじめ両端を光コネクタプラグで終端した光ファイバコードを通線することで、配線工事時の光コネクタプラグの組立が不要となり、通線後にコンセントボックス等の情報端末との接続を容易にしている。
【０００３】
光コネクタプラグを装着した光ファイバコードを配管内に通線する場合、光ファイバコードに装着する光コネクタプラグは配管の内径より小さいサイズとする必要があり、主にＳＣ（Ｓｉｎｇｌｅ  ｆｉｂｅｒ  Ｃｏｕｐｌｉｎｇ）コネクタプラグやＭＵ（Ｍｉｎｉａｔｕｒｅ  Ｕｎｉｔ−ｃｏｕｐｌｉｎｇ）コネクタプラグが装着される。
【０００４】
図６は一般のＳＣコネクタプラグを示す分解側面図である。図６において、１１はプラグフレームを覆った状態のつまみ、１２はフェルール、１３はスプリング、１４はストップリング、１５はカシメリング、１６はリング、１７はブーツである。
【０００５】
すなわち、ブーツ１７及びリング１６を通した光ファイバコードは抗張力体がカシメリング１５によりストップリング１４にかしめられ、光ファイバコードから取り出された光ファイバはスプリング１３を通してフェルール１２内に接着剤により固定される。フェルール１２、スプリング１３、ストップリング１４、カシメリング１５はプラグフレーム内で一体化され、プラグフレームの外側にはつまみ１１が装着される。ブーツ１７はリング１６によりプラグフレームに取り付けられる。
【０００６】
図７（ａ）は図６のＳＣコネクタプラグの組立状態を示す側面図、図７（ｂ）は同じく上面図、図７（ｃ）は図７（ｂ）のＡ−Ａ′線断面図である。図７（ａ），（ｂ），（ｃ）において、１８は光ファイバコード、１９は光ファイバ、２０は螺旋部である。
【０００７】
すなわち、螺旋部２０を有する光ファイバコード１８を配管内へ配線するときはＳＣコネクタプラグを図７の状態として、さらに牽引用治具をＳＣコネクタプラグへ装着して配管内へ通線する。
【０００８】
図８は一般の光ファイバコードを通線する配管を示す断面摸式図である。すなわち、配管２１は内面が凹凸を有する構造となっている。牽引用治具を通線方向に対して面取りをした外形状とすることで、牽引用治具と配管の凹凸部の接触による抵抗を減らして引掛りなく通線することを可能にしている。
【０００９】
【特許文献１】特開２００５−１６５３０３号公報
【発明の開示】
【発明が解決しようとする課題】
【００１０】
配管内へ通線後の光コネクタプラグを装着した光ファイバコードを配管から引き抜く場合がある。また、通線中に牽引用治具が光コネクタプラグから外れる可能性があり、この場合も光コネクタプラグを装着した光ファイバコードを一旦配管から引き抜く必要がある。
【００１１】
光コネクタプラグを装着した光ファイバコードを配管から引き抜く場合、図７（ａ），（ｂ）に示した光コネクタプラグのブーツの方向へ光コネクタプラグを装着した光ファイバコードを引っ張る。このとき、光コネクタプラグが配管２１内の凹凸に引っ掛かることがあり、引っ掛かった状態のままで引き抜く力を加えることで、光コネクタプラグの破損や光ファイバの破断に至る可能性がある。
【００１２】
図７（ｃ）に示したように、光コネクタプラグのつまみ１１の断面形状は長方形であるのに対して、ブーツ１７の断面形状が円形であり、つまみ１１の長方形の長辺がブーツ１７の断面直径より長いため、ブーツ１７とつまみ１１の間には隙間がある。光コネクタプラグをブーツ１７側へ引っ張るとき、光コネクタプラグが配管２１内で傾き、図７（ｃ）において網掛けで示した四隅の部分Ｅ、及び図７（ａ），（ｂ）で○印で囲った部分Ｆが配管２１の凹凸部と引っ掛かりやすい。
【００１３】
光コネクタプラグを装着した光ファイバコード１８を配管２１より引き抜くときの光コネクタプラグと配管２１の引っ掛かりが光コネクタプラグを装着した光ファイバコード１８を配管２１へ配線する施工法において課題となっている。
【００１４】
本発明は上記の事情に鑑みてなされたもので、光コネクタプラグを装着した光ファイバコードを配管より引き抜くときの光コネクタプラグと配管の引っ掛かることによる光コネクタプラグの破損や光ファイバの破断を防止でき、信頼性を向上させた光コネクタプラグを提供することを目的とする。
【課題を解決するための手段】
【００１５】
上記目的を達成するために本発明は、つまみがプラグフレームとブーツの一部を覆うように装着される光ファイバを接続する光コネクタプラグであって、つまみの形状を略中空直方体部と前記略中空直方体部の一方の端部における２つの長辺より延伸した片持ち梁の板からなる構造とし、前記片持ち梁の板をブーツ側としたことを特徴とするものである。
【００１６】
また本発明は、つまみがプラグフレームとブーツの一部を覆うように装着される光ファイバを接続する光コネクタプラグであって、つまみの形状を略中空直方体部と前記略中空直方体部の一方の端部における各辺より延伸した片持ち梁の板からなる構造とし、前記片持ち梁の板をブーツ側としたことを特徴とするものである。
【００１７】
また本発明は、つまみがプラグフレームとブーツの一部を覆うように装着される光ファイバを接続する光コネクタプラグであって、つまみのブーツ側端部の外形状を円形状とし、つまみのブーツ側端部の外径とブーツのつまみ側端部における外径を略同等としたことを特徴とするものである。
【発明の効果】
【００１８】
本発明は、光コネクタプラグを装着した状態の光ファイバコードを配管内に通線するための光コネクタプラグであり、光コネクタプラグを装着した光ファイバコードを配管より引き抜くときの光コネクタプラグと配管の引っ掛かることによる光コネクタプラグの破損や光ファイバの破断を防止できる。光コネクタプラグを装着した状態の光ファイバコードを配管内に通線する施工方法の信頼性を向上させる効果がある。
【発明を実施するための最良の形態】
【００１９】
以下図面を参照して本発明の実施の形態を詳細に説明する。本発明の実施形態ではＳＣコネクタプラグを例として説明する。
【００２０】
図１（ａ），（ｂ）は本発明の第１の実施形態に係る光コネクタプラグのつまみを示す上面図及び側面図であり、図２（ａ），（ｂ）は本発明の第１の実施形態に係る光コネクタプラグを装着した光ファイバコードを示す上面図及び側面図である。図において、３１はつまみ、３２は略中空直方体部、３３は片持ち梁の板、３４はフェルール、３５はブーツ、３６は光ファイバコード、３７は螺旋部、３８は光コネクタプラグである。
【００２１】
すなわち、光コネクタプラグ３８のつまみ３１はプラグフレーム全体とブーツ３５の一部を覆うように装着する。つまみ３１はプラグフレームを覆う略中空直方体部３２とブーツ３５の一部を覆う片持ち梁の板３３で構成される。片持ち梁の板３３は略中空直方体部３２と連接しており、略中空直方体部３２の一方の端部における２つの長辺より延伸している。片持ち梁の板３３の幅はつまみ３１の断面における長辺より短く、さらにブーツ３５の外径よりも短い。略中空直方体部３２から片持ち梁の板３３へ延伸する部分においては直角とならぬように角度をつけている。光コネクタプラグ３８を端部に装着した光ファイバコード３６は螺旋部３７を有している。ブーツ３５はつまみ３１の片持ち梁の板３３により一部が覆われている。
【００２２】
光コネクタプラグ３８のつまみ３１はプラグ本体に対して軸方向に摺動できるようになっており、前記つまみ３１の操作によって光コネクタプラグ３８の挿抜を行う。光コネクタプラグ３８を光コネクタアダプタに挿入結合して光ファイバを接続したとき、つまみ３１の片持ち梁の板３３は光コネクタアダプタより出ているため、片持ち梁の板３３を掴むことでつまみ３１を操作でき、光コネクタプラグ３８と光コネクタアダプタの結合を解除できる。
【００２３】
光コネクタプラグ３８は図７の光コネクタプラグと比較して、つまみ３１の形状はブーツとつまみの隙間が存在した空間、つまり、図７における引っ掛かりやすい箇所を取り除いた構造としているため、配管内の凹凸と引っ掛かりなく、引き抜くことができる。つまみ３１の略中空直方体部３２の内部ではプラグフレームがつまみ３１と係止している。片持ち梁の板３３と略中空直方体部３２の連接部の角度はつまみ３１とプラグフレームの係止部にかからぬように設定する。プラグフレームのブーツ３５側においても片持ち梁の板３３と略中空直方体部３２の連接部の角度と同じ角度で傾斜させ、つまみ３１からプラグフレームが剥き出しにならないようにする。
【００２４】
図３（ａ），（ｂ）は本発明の第２の実施形態に係る光コネクタプラグのつまみを示す上面図及び側面図であり、図４（ａ），（ｂ）は本発明の第２の実施形態に係る光コネクタプラグを装着した光ファイバコードを示す上面図及び側面図である。図において、４１はつまみ、４２は略中空直方体部、４３は片持ち梁の板、４４はフェルール、４５はブーツ、４６は光ファイバコード、４７は螺旋部、４８は光コネクタプラグである。
【００２５】
すなわち、光コネクタプラグ４８のつまみ４１はプラグフレーム全体とブーツ４５の一部を覆うように装着する。つまみ４１はプラグフレームを覆う略中空直方体部４２とブーツ４５の一部を覆う略中空直方体部４２の一方の端部における各辺より延伸した片持ち梁の板４３で構成される。片持ち梁の板４３の各辺それぞれより延伸した幅はつまみ４１の各辺より短く、さらにブーツ４５の外径よりも短い。片持ち梁の板４３の端部は面取りした構造となっている。光コネクタプラグ４８を端部に装着した光ファイバコード４６は螺旋部４７を有している。ブーツ４５はつまみ４１の片持ち梁の板４３により一部が覆われている。
【００２６】
光コネクタプラグ４８のつまみ４１はプラグ本体に対して軸方向に摺動できるようになっており、前記つまみ４１の操作によって光コネクタプラグ４８の挿抜を行う。光コネクタプラグ４８を光コネクタアダプタに挿入結合して光ファイバを接続したとき、つまみ４１の片持ち梁の板４３は光コネクタアダプタより出ているため、片持ち梁の板４３を掴むことでつまみ４１を操作でき、光コネクタプラグ４８と光コネクタアダプタの結合を解除できる。
【００２７】
光コネクタプラグ４８は図７の光コネクタプラグと比較して、つまみ４１の形状はブーツとつまみの隙間が存在した空間、つまり、図７における引っ掛かりやすい箇所を取り除いた構造としているため、配管内の凹凸と引っ掛かりなく、引き抜くことができる。光コネクタプラグ４８は図１及び図２の光コネクタプラグ３８と比較して、略中空直方体部４２の端部の各辺より片持ち梁の板４３が延伸しているため、光コネクタアダプタとの着脱において操作性に優れている。
【００２８】
図５（ａ），（ｂ）は本発明の第３の実施形態に係る光コネクタプラグを装着した光ファイバコードを示す上面図及び側面図である。図において、５１はつまみ、５２は略中空直方体部、５３は円筒部、５４はフェルール、５５はブーツ、５６は光ファイバコード、５７は螺旋部、５８は光コネクタプラグである。
【００２９】
図５（ａ），（ｂ）に示すように、螺旋形状を有する光ファイバコード５６の端部には光コネクタプラグ５８が装着される。光コネクタプラグ５８のつまみ５１はプラグフレーム全体とブーツ５５の一部を覆うように装着する。つまみ５１はプラグフレームを覆う略中空直方体部５２とブーツ５５の一部を覆う略中空直方体部５２の端部より延伸した円筒部５３で構成される。光コネクタプラグ５８のつまみ５１のブーツ５５側端部の外形状を円形状とし、つまみ５１のブーツ５５側端部の外径とブーツ５５のつまみ５１側の端部における外径を略同等としている。
【００３０】
すなわち、つまみ５１はフェルール５４側においては略中空直方体部５２であり、ブーツ５５側においては円筒部５３とし、円筒部５３のブーツ５５側端部の外径はブーツ５５の円筒部５３側の端部における外径と略同等としている。
【００３１】
光コネクタプラグ５８のつまみ５１はプラグ本体に対して軸方向に摺動できるようになっており、前記つまみ５１の操作によって光コネクタプラグ５８の挿抜を行う。光コネクタプラグ５８を光コネクタアダプタに挿入結合して光ファイバを接続したとき、つまみ５１の円筒部５３は光コネクタアダプタより出ているため、円筒部５３を掴むことでつまみ５１を操作でき、光コネクタプラグ５８と光コネクタアダプタの結合を解除できる。
【００３２】
光コネクタプラグ５８は図７の光コネクタプラグと比較して、つまみ５１の形状はブーツとつまみの隙間が存在した空間、つまり、図７における引っ掛かりやすい箇所を取り除いた構造としているため、配管内の凹凸と引っ掛かりなく、引き抜くことができる。光コネクタプラグ５８は図１及び図２の光コネクタプラグ３８と比較して、略中空直方体部５２の端部より円筒部５３が延伸しているため、光コネクタアダプタとの着脱において操作性に優れている。
【００３３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３４】
【図１】（ａ），（ｂ）は本発明の第１の実施形態に係る光コネクタプラグのつまみを示す上面図及び側面図である。
【図２】（ａ），（ｂ）は本発明の第１の実施形態に係る光コネクタプラグを装着した光ファイバコードを示す上面図及び側面図である。
【図３】（ａ），（ｂ）は本発明の第２の実施形態に係る光コネクタプラグのつまみを示す上面図及び側面図である。
【図４】（ａ），（ｂ）は本発明の第２の実施形態に係る光コネクタプラグを装着した光ファイバコードを示す上面図及び側面図である。
【図５】（ａ），（ｂ）は本発明の第３の実施形態に係る光コネクタプラグを装着した光ファイバコードを示す上面図及び側面図である。
【図６】一般のＳＣコネクタプラグを示す分解側面図である。
【図７】（ａ）は図６のＳＣコネクタプラグの組立状態を示す側面図、（ｂ）は同じく上面図、（ｃ）は図７（ｂ）のＡ−Ａ′線断面図である。
【図８】一般の光ファイバコードを通線する配管を示す断面摸式図である。
【符号の説明】
【００３５】
１１…プラグフレームを覆うつまみ、１２…フェルール、１３…スプリング、１４…ストップリング、１５…カシメリング、１６…リング、１７…ブーツ、１８…光ファイバコード、１９…光ファイバ、２０…螺旋部、２１…配管、３１…つまみ、３２…略中空直方体部、３３…片持ち梁の板、３４…フェルール、３５…ブーツ、３６…光ファイバコード、３７…螺旋部、３８…光コネクタプラグ、４１…つまみ、４２…略中空直方体部、４３…片持ち梁の板、４４…フェルール、４５…ブーツ、４６…光ファイバコード、４７…螺旋部、４８…光コネクタプラグ、５１…つまみ、５２…略中空直方体部、５３…円筒部、５４…フェルール、５５…ブーツ、５６…光ファイバコード、５７…螺旋部、５８…光コネクタプラグ。
【図１】
2008139704.tif 000003
【図２】
2008139704.tif 000004
【図３】
2008139704.tif 000005
【図４】
2008139704.tif 000006
【図５】
2008139704.tif 000007
【図６】
2008139704.tif 000008
【図７】
2008139704.tif 000009
【図８】
2008139704.tif 000010